(57)【要約】【課題】  吸引通路外である吸口先端部や吸口筐体の内部側面と回転ブラシ端部との隙間の埃、塵などに対する効果的除菌、滅菌手法を提供する。【解決手段】  回転清掃体の後方に、少なくとも前記回転清掃体対して紫外線を照射可能な複数の第一光源と当該吸口体における回転清掃体よりも前方に配置され吸口体先端部に紫外線を照射可能に配置された第二光源とを備える。【選択図】  図１
2010227466.tif 000002
【特許請求の範囲】
【請求項１】
塵埃を吸い込むための送風機を備えた電気掃除機本体と接続管を介して接続される吸口体であって、
前記吸口体は、回転清掃体と、当該回転清掃体を駆動させる回転駆動部と、
前記回転清掃体を内部に有するブラシ室と、前記回転駆動部を内部に有する電気品室とを有し、
前記回転清掃体の後方に、少なくとも前記回転清掃体対して紫外線を照射可能な複数の第一光源と当該吸口体における回転清掃体よりも前方に配置され吸口体先端部に紫外線を照射可能に配置された第二光源とを備えることを特徴とする電気掃除機の吸口体。
【請求項２】
請求項１に記載の電気掃除機の吸口体において、
前記第一光源を保持する光源保持部を有し、当該光源保持部は、前記回転清掃体の後方に配置され、かつ前記ブラシ室と前記電気品室とを仕切る仕切り壁に接続されることを特徴とする電気掃除機の吸口体。
【請求項３】
請求項２に記載の電気掃除機の吸口体において、
前記光源保持部および前記仕切り壁には、前記第一光源を保持するための穴部が設けられ、当該光源保持部の穴部の直径は前記仕切り壁の穴部の直径よりも小さいことを特徴とする電気掃除機の吸口体。
【請求項４】
請求項１に記載の電気掃除機の吸口体において、
前記第一、第二光源の照射を制御する制御手段を備えることを特徴とする電気掃除機の吸口体。
【請求項５】
請求項４に記載の電気掃除機の吸口体において、
前記回転清掃体が床面に接地されたことを検知する検知手段を有し、
前記制御手段は当該検知手段が床面に接地したことを検知したときに、前記第一、第二光源の照射を開始するように制御することを特徴とする電気掃除機の吸口体。
【請求項６】
請求項４に記載の電気掃除機の吸口体において、
前記制御部は、当該電気掃除機の電源がＯＦＦになった後に所定時間前記第一、第二光源を照射させるように制御することを特徴とする電気掃除機の吸口体。
【請求項７】
請求項６に記載の電気掃除機の吸口体において、
当該電気掃除機の電源がＯＦＦになった後に所定時間前記第一、第二光源を照射させるための蓄電手段を備えることを特徴とする電気掃除機の吸口体。
【請求項８】
請求項１から７のいずれかに記載の電気掃除機の吸口体において、
当該吸口体の内外面に光触媒が塗布されていることを特徴とする電気掃除機の吸口体。
【請求項９】
請求項１に記載の電気掃除機の吸口体において、
前記第二光源は、吸込体における前記回転清掃体よりも前方かつ吸込体内部の側面であって前記ブラシ室と前記電気品室とを側方で仕切る側面仕切り壁に接続されることを特徴とする電気掃除機の吸口体。
【請求項１０】
塵埃を吸い込むための送風機を備えた電気掃除機本体と、一端を前記電気掃除機本体に取付けられて前記送風機に連通する柔軟性のある吸引ホースと、前記吸引ホースの他端と取付けられて前記送風機に連通する手元ハンドルと、前記手元ハンドルに取付けられて前記吸引ホースに連通する接続管と、前記接続管に取付けられて該接続管に連通する吸口体とからなり、
前記吸口体は、回転清掃体と該回転清掃体の駆動部とを備えた吸口本体と、前記吸口本体を前記接続管に回転可能に連結し、前記吸口本体の塵埃通路と前記接続管を連通する自在連結部を備え、
前記自在連結部は、管状の下腕部と管状の上腕部とから構成され、
前記下腕部は、その長手方向の一端を第１回転軸部を介して前記吸口本体と回転可能に連結し、他の一端は前記上腕部の一端と第２回転軸部を介して回転可能に連結され、
前記第１回転軸部と前記第２回転軸部はそれぞれ直交する回転軸を備え、
前記吸口本体は、回転清掃体と、当該回転清掃体を駆動させる回転駆動部と、
前記回転清掃体を内部に有するブラシ室と、前記回転駆動部を内部に有する電気品室とを有し、
前記回転清掃体の後方に、少なくとも前記回転清掃体対して紫外線を照射可能な複数の第一光源と当該吸口体における回転清掃体よりも前方に配置され吸口本体先端部に紫外線を照射可能に配置された第二光源とを備えることを特徴とする電気掃除機。
【請求項１１】
請求項１０に記載の電気掃除機の吸口体において、
前記第一光源を保持する光源保持部を有し、当該光源保持部は、前記回転清掃体の後方に配置され、かつ前記ブラシ室と前記電気品室とを仕切る仕切り壁に接続されることを特徴とする電気掃除機。
【請求項１２】
請求項１１に記載の電気掃除機の吸口体において、
前記光源保持部および前記仕切り壁には、前記第一光源を保持するための穴部が設けられ、当該光源保持部の穴部直径は前記仕切り壁の穴部直径よりも小さいことを特徴とする電気掃除機。
【発明の詳細な説明】
【技術分野】
【０００１】
本発明は、複数の回転清掃体を備えた電気掃除機の吸口体及びこの吸口体を用いた電気掃除機に関する。
【背景技術】
【０００２】
現在主流となっている電気掃除機は、集塵装置を備えた掃除機本体と、床面の塵埃を吸引する床用吸口体とを吸込管や吸引ホースで連結したキャニスタータイプと呼ばれる構造のものである。この従来例の掃除機本体は、その内部に集塵装置と送風装置を備え、車輪を介して自在に移動可能な構造となっている。
また、近年の抗菌、滅菌志向に伴い、本体、ホース、延長管、吸口などに抗菌処理しているものが提案されている(例えば特許文献１)。
特許文献２には、電気掃除機は吸口に内蔵された回転ブラシの内側に紫外線発生部を設け、回転枠の外周に紫外線を透過させる開口部、透明部を設けたものが提案されている。
【先行技術文献】
【特許文献】
【０００３】
【特許文献１】特開平８−１３１５２２号公報
【特許文献２】特開２００５−１２４８６１号公報
【発明の概要】
【発明が解決しようとする課題】
【０００４】
従来の紫外線発生部の設置箇所は、床面や吸引通路や吸引ブラシ中央部近傍抗菌、滅菌を目的とするため、本体内部や吸口内部に配置されることが主であった。
このため、吸口筐体の内部側面と回転ブラシ端部との隙間に埃、塵などが溜まりやすい問題については十分考慮されておらず、この隙間にある回転ブラシ端部や回転軸近傍の埃、塵に対する効果的除菌、滅菌方法についての検討が十分なされていなかった。
また、通常の使用状態では、吸口体において吸引通路から外れた部分である、回転ブラシよりも前方の吸口先端部が回転ブラシと共に床面の汚れた箇所に接地する場合がある。したがって、回転ブラシと共に、吸引通路外にある吸口先端部も同時に除菌、抗菌しなければ、汚れや菌などが床面に再付着してしまう可能性があった。
【課題を解決するための手段】
【０００５】
前記課題を解決するために、本発明に係る電気掃除機の吸口体とこの吸口体を備えた電気掃除機は、回転清掃体に対して照射可能な紫外線ＬＥＤと当該吸口体における回転清掃体よりも前方に配置される吸口先端部に照射可能に配置された紫外線ＬＥＤとを備えることを特徴とする。
【発明の効果】
【０００６】
本発明によれば、床面清掃時に汚れや菌が再付着する不安を使用者の心理から払拭可能な清潔性の高い掃除を行うことが出来る電気掃除機を提供できる。
【図面の簡単な説明】
【０００７】
【図１】第１実施例に係る電気掃除機の概略図である。
【図２】第１実施例に係る電気掃除機の内部構造を示す概略断面図である。
【図３】第１実施例に係る吸口体の外観図である。
【図４】第１実施例に係る吸口体の内部構造を示す断面図である。
【図５】図４の縦断面図である。
【図６】光源保持部と光源を示す図である。
【図７】第２実施例に係る吸口体の内部構造を示す断面図である。
【発明を実施するための形態】
【０００８】
以下、図１から図６を参照して、この発明に係る実施の形態を詳細に説明する。ここで、図１から図６が第１実施例、図７が第２実施例を示している。
（第１実施例）
図１から図６は、第１実施例に係る電気掃除機を示したものである。ここで、図１は、第１実施例に係る電気掃除機の概略図である。図２は、電気掃除機の内部構造を示す概略断面図である。図３は吸口体の概略構造を示す外観図である。図４及び図５は吸口体の断面図である。図６は光源保持部及び光源を示す図である。
【０００９】
先ず、図１を参照して、この実施例に係る電機掃除機の概略構造を説明する。符号１で総括的に示すのは電気掃除機の全体であり、塵埃を吸い込むための図示しない機構、例えば送風装置を備えた電気掃除機本体１００と、一端が前記電気掃除機本体１００に取付けられ、前記送風機に連通する柔軟性のある吸引ホース２００と、前記吸引ホース２００の他端に取付けられて前記送風機に連通する手元ハンドル３００と、前記手元ハンドル３００に取付けられて前記吸引ホース２００に連通する接続管４００と、前記接続管４００に取付けられ、この接続管４００に連通する吸口体５００とから構成される。
【００１０】
電気掃除機本体１００は、内部に使い捨て塵埃袋を備えた集塵室を備え、一対の大車輪１０１と１個の自在車輪１０２とで、前記吸引ホース２００を介して移動させることができる。
【００１１】
吸引ホース２００は、塵埃を電気掃除機本体１００に搬送するための搬送通路としての機能と、電気掃除機本体１００を移動させるための移動引っ張り手段としての機能を備えている。
【００１２】
手元ハンドル３００は、吸引ホース２００と接続管４００とを連通させる機能と、電気掃除機本体１００の運転制御および電気掃除機本体１００を移動させる機能、さらに吸口体５００の動きを操作する機能とを備えている。この手元ハンドル３００は、吸引ホース２００と着脱可能に接続され、さらに接続管４００とも着脱自在に取付けられることで、吸引ホース２００と接続管４００とを連通させて塵埃の搬送路を形成している。
【００１３】
さらに手元ハンドル３００は、接続管４００の長手方向、すなわち、接続管４００の中心軸の延長線上の上端に、中心軸と所定の角度（１００度から１２０度前後の角度）を持って形成される。そして、その長手方向の軸が吸引ホース２００と接続管４００との接続方向と略一致する位置にハンドル部３０１を備えている。このハンドル部３０１により、吸引ホース２００を介して電気掃除機本体１００を移動させることができ、さらに、吸口体５００の動きを操作することができる。特に、このハンドル部３０１によれば、ひねり動作、すなわち中心軸を中心とした回転を容易に行なうことができる。さらに、前記ハンドル部３０１の近傍には前記電気掃除機本体１００の運転を操作する操作部３０２が設けられている。
【００１４】
接続管４００は、手元ハンドル３００と吸口体５００とを連通させ、さらに手元ハンドル３００と吸口体５００とを所定の位置で固定することで、手元ハンドル３００の動き（移動や回転）を吸口体５００の動き（移動や回転）とするように伝達する機能を備えている。この実施例では、大きさの異なる２つの管体４０１と４０２とを組み合わせることにより、前記接続管４００を所定の長さで固定できるように伸縮自在に構成し、一方に前記手元ハンドル３００を、他方に前記吸口体５００を着脱自在に取付けるようにしている。
【００１５】
吸口体５００は、塵埃を吸い込むための吸込口５１０を底面に備えた吸込筐体５０６によって覆われる吸口本体５０５と、吸口本体５０５を接続管４００に連結し、接続管４００を介して伝達される手元ハンドル３００の動きに対して常に吸口本体５０５の底面を床面に接するように動作するとともに、吸口本体５０５から吸込んだ塵埃を含んだ空気流が接続管４００に導かれるように連通する自在連結部５６０とで構成される。吸口本体５０５は、床面の塵埃を吸い込むための回転清掃体５１１を備えた吸込口５１０を底面に備えている。
清掃体駆動部５８０は、回転清掃体５１１を回転させる清掃体回転駆動軸部５８１と、清掃体駆動部５８０の回転運動を伝達する伝達ベルト５８３とを含んで構成する。ここでは、回転清掃体５１１の後方に清掃体駆動部５８０を配置し、伝達ベルト５８３によって駆動伝達する構成を示したが、回転清掃体５１１の回転軸と同一軸となるように回転清掃体５１１を配置するようにしても良い。
この実施例に係る電気掃除機１の大きな特徴の１つは、回転清掃体５１１及び吸込通路に対して紫外線を照射する紫外線ＬＥＤ５９１ａと、吸込筐体５０６における回転清掃体よりも前方に構成される吸込本体の先端部と回転清掃体５１１の一部に対して紫外線を照射する紫外線ＬＥＤ５９１ｂを構成した点にある。
また、回転清掃体よりも後方に配置される紫外線ＬＥＤ５９１ａは光源保持部５９０に設けられた穴部に嵌めこむように保持され、光源保持部５９０は吸込通路内の吸込筐体５０６に接続されている。ここでは光源保持部５９０に紫外線ＬＥＤ５９１ａが保持される例を示したが、吸込筐体５０６に直接接続されていても良い。ただし、この場合、紫外線ＬＥＤ５９１ａを直接吸込筐体５０６に対して嵌合させることになるため、隙間から吸引気流が漏れ出す可能性がある。
そのため、光源保持部５９０の材質を例えば、合成樹脂材料やプラスチック材料からなる吸込筐体５０６よりもやわらかい材質（シリコン、合成ゴム材料）とし、嵌めこみのための穴部の直径を吸込筐体５０６の穴部よりも若干小さくして、材質固有の弾性力を用いて強固に紫外線ＬＥＤと光源保持部５９０接続させると良い。さらに吸込筐体５０６よりも軟質材料を用いることで、吸込筐体５０６に対して光源保持部材５９０が密着することができるため、接続箇所から気流が漏れることも無くなる。
なお、紫外線ＬＥＤ５９１ｂも同様に光源保持部を介して吸込筐体５０６と接続する構成を採っても良いことは云うまでもない。
ここで紫外線LED５９１ｂは、吸込本体の先端部と回転清掃体５１１の一部に対して紫外線を照射するものであるが、吸込筐体５０６における回転清掃体よりも前方かつ吸込筐体内部の側面に紫外線LED５９１ｂを設置することで、回転清掃体５１１の回転軸５８１近傍に溜まってしまう塵、埃等に対して効果的に紫外線の照射が可能となり、清潔性が更に向上する。
【００１６】
また、検知手段５１２は、吸口体５００の底面に設けた開口から光を照射して、その反射光の受信の変化から床面が絨毯か畳かフローリングかを識別する光センサーを採用する。
また、この実施例では、検知手段５１２からの信号を受け付けて、紫外線ＬＥＤ５９１の動作制御を行う図示しない制御部を制御基板５１４に設けている。この制御部は、電気掃除機本体１の電源がＯＮ状態となると検知手段５１２を動作させて検知手段５１２からの光の強度信号を受け付けて、床面の判定を行う。そして、制御部は判定結果に基づいて、紫外線ＬＥＤ５９１の照射制御を行うことができる。ここで、制御部は吸口体に設けられる制御部について説明したが、これに限らず、電気掃除機本体内にもうけられる制御部により照射制御を行ってよい。
本実施例では、電源ＯＮ状態の時は常に紫外線ＬＥＤ５９１は点灯状態にあることを想定しているが、その他の照射形態も採りうる。
例えば、フローリングは紫外線の反射が大きいため、効率よく除菌できる。このため、フローリングを清掃する際にのみ、先端部に設けられた紫外線ＬＥＤ５９１ｂを照射するように制御部によって制御することも可能である。カーペット等は光の散乱、吸収が大きく照射が非効率となることからこのような制御をすることは、消費電力を減らすことに寄与する。
さらに上記と別の方法で光の照射による除菌効率を高めるために、光触媒を回転清掃体５１１や吸口体５００の内外に予め塗布しておくとさらに除菌効率が向上する。
制御部は前記回転清掃体駆動の接地圧等の駆動状況により回転清掃体５１１が床面に接地しているか否かの情報を検地する図示しないセンサを有しており、回転清掃体５１１が接地していない場合には、紫外線LED５９１の照射をしないように制御する。また、このセンサは回転体駆動部５８０の負荷電流を検知するものであってもよい。
これによると、ユーザが吸口本体裏面を覗いた際に、不意に紫外線が目等の生体部位に照射されることがなくなるため、安全性に優れた吸口体を実現することができる。
一方、電源部５９２を吸込本体に設けるようにしても良い。図１に示すように回転体駆動部５８０と中心軸を挟んで略対称な位置に配置すると、重量バランスが保てることになり清掃安定性が向上する。さらに、この電源部に蓄電機能を備えるようにしておくことで、清掃完了後、本体電源をＯＦＦにした後にも、制御部によって所定時間紫外線ＬＥＤ５９１の照射制御が可能になることから、更に清潔性が向上する。
以下、図２から図６を参照して、この実施例に係る電気掃除機１をさらに具体的に説明する。
先ず、図２を参照して、この実施例に係る電気掃除機１の内部構造を説明する。ここで、図２はこの第１実施例に係る電気掃除機１の内部構成図である。
【００１７】
前記したように、この実施例の電気掃除機１は、集塵装置１２０を備えた移動可能な掃除機本体１００と、塵埃を吸い込む吸口体５００とを、その内部に通風ロを備えた管状の接続管４００と手元ハンドル３００と吸引ホース２００とで連結することで、吸口体５００で取り込んだ塵埃を掃除機本体１００の集塵装置１２０に取り込む構造としている。
【００１８】
この実施例の掃除機本体１００は、仕切壁１１３を介して、筺体１１０内を集塵室１１１と駆動室１１２に前後に分割している。この仕切壁１１３は、集塵室１１１と駆動室１１２とを連通する通風口１１４を備えている。集塵室１１１には集塵装置１２０が配置され、駆動室１１２には送風装置１４０とコードリール装置１３０及び制御基板１５０が配置される。
【００１９】
この実施例では、集塵装置１２０を使い捨て集塵袋１２１と、通風口１１４を覆うように設けられる集塵フイルタ１２２とで構成している。使い捨て集塵袋１２１は、その投入口を集塵室１１１に形成したホース取付口１１５に取付けるように集塵室１１１内にセットされる。一方、駆動室１１２には、送風装置１４０とコードリール装置１３０が上下に配置され、操作スイッチを含む制御基板１５０は送風装置１４０の上部に配置される。この実施例では、送風装置１４０を駆動させると、この送風装置１４０が塵埃の取り除かれた空気流を取り込んで、自身を冷却して駆動室１１２内に放出する。この放出された空気流は、図示しない通風路により、制御基板１５０とコードリール装置１３０に導かれて、これを冷却した後、駆動室１１２の裏面側に形成した排気口１１６から排気される。
【００２０】
ここで、この実施例では、集塵装置１２０を使い捨て集塵袋１２１を採用したもので説明したが、この使い捨て集塵袋１２１に換えて、渦流により塵埃を空気流から分離して取り除くサイクロンと呼ばれる集塵装置１２０を採用してもよい。また、駆動室１１２内の図示しない通風路に微細な塵埃を取り除く第２の集塵フイルタを設けるようにしてもよい。
【００２１】
さて、この実施例では、コードリール装置１３０からコードを引き出して家庭内配線に接続することで電気掃除機本体１００を動作させることができる。したがって、掃除機本体１００は、この家庭内配線から取り込んだ電源で送風装置１４０や制御基板１５０を動作／制御することができる。一方、この実施例では、吸口体５００に回転清掃体５１１を動作させるための清掃体駆動部５８０及び制御基板５１４などを設け、更に手元ハンドル３００には操作部３０２を設けている。そこで、この清掃体駆動部５８０や操作部３０２などに電源を供給し、かつ制御信号を送受信するコード２５０を吸引ホース２００と手元ハンドル３００と接続管４００に配線している。これらのコード２５０は、吸引ホース２００と手元ハンドル３００と接続管４００とを連結することで電気的に接続する構造としている。併せてこの電源供給によって紫外線LED５９１の点灯を行う構造となっている。また、吸口５００内に蓄電機能を有する電源部５９２を設ければ、家庭内配線から取り込んだ電源から電力が供給され、蓄電しておき、電気掃除機本体１の電源がOFFになった後も制御部による紫外線LEDの照射が可能となる。これにより、清掃作業を行っていない場合の静止状態で照射が行えることから安定的に紫外線を照射できることになり、清潔性が向上する。
【００２２】
この電気掃除機１によれば、手元ハンドル３００の操作部３０２を操作して電源をＯＮ状態とすれば送風装置１４０が駆動して吸口体５００から塵埃を含む空気流を集塵装置１２０に取り込むことができる。そして、このＯＮ状態では、清掃体駆動部５８０を介して回転清掃体５１１を回転させ、かつ床面を自動検知して、床面に対応した回転清掃体５１１を自動選択して清掃作業を行うことができる。
【００２３】
次に、図３及び図４を参照して、吸口体５００の具体的な構造を更に説明する。ここで、図３は吸口体５００の外観図であり、（ａ）図が吸口体５００の外観斜視図、（ｂ）図が自在連結部５６０を変化させた状態の右側面図である。図４は、吸口体５００の内部構造を示す水平断面図である。
【００２４】
図３において、この実施例に係る吸口体５００は、回転清掃体５１１を内在する吸口本体５０５と、この吸口本体５０５を角度変更可能に接続管４００に連結する自在連結部５６０とから構成している。自在連結部５６０は、管状の下腕部５６１と、管状の上腕部５６２とで構成される。下腕部５６１は、管状の一端を吸口本体５０５とＹ軸回転連結部５７０を介して連結され、他の一端は管状の上腕部５６２の一端とＸ軸回転連結部５７１を介して連結される。また、管状の上腕部５６２の他の一端は、接続管４００と連結可能な構造としている。
【００２５】
そして、Ｘ軸回転連結部５７１は回転軸Ｐ２を中心に空気漏れがないように回転可能に連結され、更に、Ｙ軸回転連結部５７０は、回転軸Ｐ２と直交する回転軸Ｐ１を中心に空気漏れがないように吸口本体５０５に連結される。
【００２６】
この実施例では、回転軸Ｐ１を吸口本体５０５の長手方向と平行な回転軸とすることで、高低方向Ｙの回転を可能とし、この回転軸Ｐ１と直交する回転軸Ｐ２により左右方向Ｘの回転を可能にしている。この直交する２つの回転軸Ｐ１，Ｐ２を備えた自在連結部５６０を介して吸口本体５０５と吸口体５００とを連結することにより、手元ハンドル３００のひねり動作で、この吸口本体５０５を床面（清掃面）に対して回転させることができるとともに、吸口本体５０５と接続管４００とを空気漏れなく連通することができる。さらには、この２つのＹ軸回転連結部５７０とＸ軸回転連結部５７１を介して、コード２５０を配線する構造としている。
【００２７】
図４の図において、横長の薄型扁平な吸口体５００は、その前部に回転清掃体５１１を収納するブラシ室５１５が形成され、その後部には清掃体回転駆動部５８０を収納する電気品収納室５１６が形成される。この電気品収納室５１６は、ブラシ室５１５の両側に延在して形成される。
【００２８】
電気品収納室５１６は、中央の自在連結部５６０を挟んで、清掃体回転駆動部５８０が片側に配置され、また、同様に、検知手段５１２と制御部５１３とを備えた制御基板５１４が回転駆動部５８０の対抗する側に配置される。この構造により、長手方向の左右のバランスが良好な吸口体５００を提供することができる。
【００２９】
紫外線ＬＥＤ５９１ａは光源保持部５９０を介して、回転清掃体５１１の後方で電気品収納室５１６とブラシ室５１５とを仕切る壁面である仕切り壁７０４に設けられた接続穴に嵌合している。光源保持部５９０と壁面とは接着剤やねじ止め等の接続手段により接続されている。この紫外線ＬＥＤ５９１ａにより、回転清掃体５１１及び吸込通路に対して紫外線照射が可能となる。
【００３０】
紫外線ＬＥＤ５９１ｂは、回転清掃体５１１の前方の吸口体先端部に配され、ブラシ室５１５の両側とブラシ室５１５の両側に延在する電気品収納室５１６とを仕切る側面仕切り壁７０３に設けられる穴部を介して配置される。この配置構造によれば、ブラシ室５１５とは分離したこのブラシ室５１５の両側に延在する電気品収納室５１６の空間を利用して、紫外線ＬＥＤ５９１ｂとその電気配線を設けることができるので、塵埃付着による障害を軽減することができる。
図４のように、紫外線ＬＥＤ５９１ｂを先端部７０５近傍の側面仕切り壁７０３に配置することで、回転清掃体５１１と清掃体駆動軸５８１との間に溜まる埃、塵等に対して効果的に紫外線を照射することができ、吸口体先端部７０５に対しても効果的に紫外線照射が可能となる。
【００３１】
次に、図５を参照して、清掃体駆動部５８０の詳細構造を説明する。
【００３２】
清掃体回転駆動部５８０は、駆動モータと減速機からなり、この減速機に伝達ベルト５８３と噛み合う駆動部歯車５８１ａが取付けられている。この構造によれば、清掃体回転駆動部５８１の回転力は、駆動部歯車５８１ａから伝達ベルト５８３を介して歯車５８１ｂに伝達される。そして、歯車５８２ｂの回転力は、回転駆動軸５８１を介して回転清掃体５１１に伝達され、回転清掃体５１１による回転駆動が可能となる。
【００３３】
このとき、紫外線ＬＥＤ５９１は回転清掃体５１１や回転駆動部５８０や回転ベルト５８３には接触しない位置に配置される。これにより、回転による掻き出し作業を阻害することなく、清掃体や床面の除菌が可能となる。
なお、紫外線ＬＥＤ５９１ｂの照射軸は回転清掃体５１１の回転軸と平行に配置される例を示したが、必ずしもこれに限るものではなく、照射目的に応じて照射軸を吸込体５００の先端部７０５方向に傾けても良いし、回転清掃体５１１方向に傾けることも可能である。
【００３４】
次に、図６を参照して、この実施例に係る光源保持部５９１及び光源である紫外線ＬＥＤ５９０の接続状態について説明する。
光源保持部５９０の材質は、合成樹脂材料、シリコン材料やプラスチック材料等から構成され、光源を嵌めこむのための穴部が形成されている。この穴部の直径は紫外線ＬＥＤの最も直径の広い箇所の直径と同一か、もしくはそれよりも小さい直径を有している。この直径を紫外線ＬＥＤの直径よりも大きいものにするときには、隙間が生じてしまい吸気が逃げてしまう可能性があるため好ましくないが、隙間をシリコン樹脂等で密閉することができれば大きな直径を設けても問題は無い。また、紫外線ＬＥＤの最も直径の広い箇所の直径と同一か、もしくはそれよりも小さい直径である場合には光源保持部５９０の持つ弾性力を利用して紫外線ＬＥＤを挟み込む構成にしても良いが、より強固に接続するためには、シリコン樹脂等の接着剤を用いると良い。
また、光源保持部５９０の有する穴部の直径は、仕切り壁７０４に形成される穴部よりも小さいことが好ましい。これにより、光源保持部５９０と仕切り壁が漏れなく接続されていれば、仕切り壁を通して電気品収納室５１６に吸気が流れる心配が無くなる。漏れなく接続させるためには、光源保持部５８０の材質を吸込筐体５０６の仕切り壁の材料よりも軟質な材料を用いると、吸込筐体５０６に対して光源保持部材５９０が密着することができるため、さらに好適である。
（第２実施例）
次に、図７を参照して、この発明に係る第２実施例の吸口体５００を具体的に説明する。
ここで、図７ａは、吸口体５００の内部構造を示す断面図であり、図７ｂが吸口体５００の縦断面図である。また、符号の無い部位については第１実施例と同様であり重複した説明を省略する。
【００３５】
図７において、この第２実施例に係る吸口体５００は、回転清掃体５１１の前方に設けられる紫外線ＬＥＤ５９１ｂの紫外線をより効果的に目的部位に照射するために反射板７０１、７０２を設けた例である。回転清掃体５１１よりも前方で且つ電気品収納室５１６、回転ブラシ収納室５１５とを仕切る側面仕切り壁７０３に接続された紫外線ＬＥＤ５９１ｂから照射される光はその照射範囲に対して満遍なく紫外線が照射される。
図７に示すように、紫外線ＬＥＤ５９１ｂの後方、すなわち吸引方向に向かって広がり角を有する三角錐状の反射板を配置すると、その反射を利用して吸口体５００の先端部に対して紫外線を多く照射することが出来るため、先端部を効果的に除菌できることになる。
また、回転清掃体５１１よりも上方かつ先端部に近い位置で吸込筐体５０６の内壁に接続された反射板７０２を設けることで、回転清掃体５１１、清掃体回転軸５８１及び吸込筐体５０６先端部に集中して紫外線を照射でき、目的とする箇所の効果的除菌が可能となる。このとき反射板７０２の形状は照射したい部位に応じて三角柱形状や平板形状等任意で良いが、図７ｂに示すように中央に凹みを持たせ、先端部方向、回転清掃体５１１方向のいずれの方向にも反射できるような形状にすることで、目的とする領域に対してより効果的に紫外線照射が可能となる。
また、この実施例では、反射板を特定の位置に設ける事例を説明したが、これに限定されるものではない、例えば、ブラシ室５１５全体にステンレス板やステンレスの塗装のように除菌、抗菌効果があり、かつ反射機能のある部材を貼り付けたり、あるいは塗布するようにしてもよい。
この構造によれば、ブラシ室５１５１の内壁面の除菌、抗菌効果が図れるとともに、この除菌、抗菌材料を反射材料として利用して、ブラシ室５１５の中央に配置される回転清掃体５１１に対して、紫外線LEDを間接的に満遍なく照射することができる。
なお、実施例１，２において使用する光源を紫外線ＬＥＤとして説明してきたが、可視光である波長帯域の光源を併用してもよい。これにより、除菌をしていることがユーザの目に視覚的に表れることから紫外線を直視しないようにする抑止効果が高められる。また、明かりの少ない場所で清掃作業をする場合に可視光光源がライトの代わりとなるため、清掃時の安全性を確保できる。特に、この実施例では、掃除機本体１００の底面先端部両側に、車輪の代わりとなる刷毛７０３を設けて、掃除機本体１００の先端部を床面から浮かした状態としているので、床面に反射した光を照明あるいは装飾的にも活用することができる。
【符号の説明】
【００３６】
１…電気掃除機、１００…掃除機本体、１０１…大車輪、１０２…自在車輪、２００…吸引ホース、３００…手元ハンドル、３０１…ハンドル部、３０２…操作部、４００…接続管、５００…吸口体、５０５…吸口本体、５０６…吸込筐体、５１０…吸込口、５１１…回転清掃体、５１２…検知手段、５１４…制御基板、５１５…ブラシ室、５１６…電気品収納室、５６０…自在連結部、５８０…清掃体駆動部、５８１…清掃体回転駆動軸部、５８１ａ,ｂ…歯車、５８３…伝達ベルト、５９０…光源保持部、５９１ａ,ｂ…紫外線ＬＥＤ、５９２…電源部、７０１…反射板、７０２…反射板
【図１】
2010227466.tif 000003
【図２】
2010227466.tif 000004
【図３】
2010227466.tif 000005
【図４】
2010227466.tif 000006
【図５】
2010227466.tif 000007
【図６】
2010227466.tif 000008
【図７】
2010227466.tif 000009